(57)【要約】      （修正有）【課題】プレゼンテーション資料に関連したキーワードを表示するとともに，発言禁止用語を発言した場合にはアラートを表示して，注意を喚起できるプレゼンテーション支援装置を提供する。【解決手段】プレゼンテーション支援装置１は、プレゼンテーション資料記憶手段３と，プレゼンテーション資料に関連した複数のキーワードを記憶するキーワード記憶手段５と，複数のキーワードのそれぞれについて１又は複数の関連語を記憶する関連語記憶手段７と，複数のキーワードのそれぞれについて１又は複数のＮＧワードを記憶するＮＧワード記憶手段９と，音声認識手段１１と，音声認識用語が，関連語，及びＮＧワードのいずれに該当するか判断する用語判断手段１５と，音声認識用語が関連語の場合には，関連語と関連したキーワードを出力し，声認識用語がＮＧワードの場合には，ＮＧワードと関連したキーワードとアラートを出力するキーワード出力手段１７とを有する。【選択図】図１
2020119112.tif 000002
【特許請求の範囲】
【請求項１】
プレゼンテーション支援装置（１）であって，
プレゼンテーション資料を記憶するプレゼンテーション資料記憶手段（３）と，
前記プレゼンテーション資料に関連した複数のキーワードを記憶するキーワード記憶手段（５）と，
前記キーワード記憶手段が記憶した前記複数のキーワードのそれぞれについて１又は複数の関連語を記憶する関連語記憶手段（７）と，
前記キーワード記憶手段が記憶した前記複数のキーワードのそれぞれについて１又は複数のＮＧワードを記憶するＮＧワード記憶手段（９）と，
会話者の会話を音声として認識する音声認識手段（１１）と，
前記音声認識手段が認識した音声に含まれる用語である音声認識用語が，前記関連語，及び前記ＮＧワードのいずれに該当するか判断する用語判断手段（１５）と，
前記音声認識用語が関連語の場合には，前記関連語と関連したキーワードを出力し，前記音声認識用語が前記ＮＧワードの場合には，前記ＮＧワードと関連したキーワードとアラートを出力するキーワード出力手段（１７）と，
を有するプレゼンテーション支援装置。
【請求項２】
請求項１に記載のプレゼンテーション支援装置であって，
前記音声認識手段（１１）が認識した前記プレゼンテーション資料に関連する用語を用いて，前記キーワード記憶手段（５）が記憶する前記プレゼンテーション資料に関連した複数のキーワードを作成又は更新するキーワード作成・更新手段（１９）をさらに含むプレゼンテーション支援装置。
【請求項３】
請求項１に記載のプレゼンテーション支援装置であって，
前記キーワード，前記関連語，及び前記ＮＧワードのいずれか１つ又は２つ以上に関連した評価点を記憶する評価点記憶手段（２１）と，
前記用語判断手段（１５）が判断した，前記キーワード，前記関連語，及び前記ＮＧワードについて，前記評価点記憶手段（２１）が記憶した評価点を読み出して，前記音声認識手段が音声として認識した会話を評価する会話評価手段（２３）とをさらに含む，
プレゼンテーション支援装置。
【請求項４】
コンピュータを， 
プレゼンテーション資料を記憶するプレゼンテーション資料記憶手段（３）と，
前記プレゼンテーション資料に関連した複数のキーワードを記憶するキーワード記憶手段（５）と，
前記キーワード記憶手段が記憶した前記複数のキーワードのそれぞれについて１又は複数の関連語を記憶する関連語記憶手段（７）と，
前記キーワード記憶手段が記憶した前記複数のキーワードのそれぞれについて１又は複数のＮＧワードを記憶するＮＧワード記憶手段（９）と，
会話者の会話を音声として認識する音声認識手段（１１）と，
前記音声認識手段が認識した音声に含まれる用語である音声認識用語が，前記関連語，及び前記ＮＧワードのいずれに該当するか判断する用語判断手段（１５）と，
前記音声認識用語が関連語の場合には，前記関連語と関連したキーワードを出力し，前記音声認識用語が前記ＮＧワードの場合には，前記ＮＧワードと関連したキーワードとアラートを出力するキーワード出力手段（１７）と，
して機能させるためのプログラム。
【請求項５】
請求項４に記載のプログラムを格納したコンピュータ読み取り可能な情報記録媒体。
【発明の詳細な説明】
【技術分野】
【０００１】
この発明は，プレゼンターが発言禁止用語を発言するとアラートを出して注意を喚起できるプレゼンテーション支援装置に関する。
【背景技術】
【０００２】
特開２００２−２５９６３５号公報には，議論参加者が議論する過程でなされた発言の中からキーワードを図形オブジェクトとテキストとの組み合わせにより表示するシステムが記載されている。
【０００３】
特開２０１７−２２４０５２号公報には，プレゼンテーション評価装置が記載されている。
【先行技術文献】
【特許文献】
【０００４】
【特許文献１】特開２００２−２５９６３５号公報
【特許文献２】特開２０１７−２２４０５２号公報
【発明の概要】
【発明が解決しようとする課題】
【０００５】
プレゼンテーションを行う場合，キーワードを表示させてスムーズに説明を行わせることが望ましい。一方，話者がプレゼンテーション資料と関連して発言してはならない禁止用語を意図せず発言してしまう時がある。そのような時に，その場で発言を修正することを促すシステムが望まれる。
【０００６】
そこで，この明細書に記載されるある態様の発明は，プレゼンテーション資料に関連したキーワードを表示するとともに，発言禁止用語を発言した場合にはアラートを表示して，注意を喚起できるプレゼンテーション支援装置を提供することを目的とする。
【課題を解決するための手段】
【０００７】
この明細書のある側面に関する発明は，プレゼンテーション資料と関連して，キーワードやそのキーワードに関連した関連語とＮＧワードとを記憶させ，音声認識により関連語及びＮＧワードが発言されたか否か判断し，関連語が発言された場合はキーワードを表示する他，ＮＧワードが発言された場合には，所定のアラートを出力するようにすることで，プレゼンテーションをスムーズにすることができる一方，失言をした場合にはその場で失言を撤回できるように誘導できるという知見に基づく。
【０００８】
この明細書に記載される態様のひとつは，プレゼンテーション支援装置１に関する。
この装置は，プレゼンテーション資料記憶手段３と，キーワード記憶手段５と，関連語記憶手段７と，ＮＧワード記憶手段９と，音声認識手段１１と，用語判断手段１５と，キーワード出力手段１７と，を有する。
この装置は，例えば，コンピュータにより実装される。各手段は，例えば，コンピュータにより実装される手段である。
プレゼンテーション資料記憶手段３は，プレゼンテーション資料を記憶するための要素である。
キーワード記憶手段５は，プレゼンテーション資料に関連した複数のキーワードを記憶するための要素である。
関連語記憶手段７は，キーワード記憶手段が記憶した複数のキーワードのそれぞれについて１又は複数の関連語を記憶するための手段である。
ＮＧワード記憶手段９は，キーワード記憶手段が記憶した複数のキーワードのそれぞれについて１又は複数のＮＧワードを記憶するための手段である。
音声認識手段１１は，会話者の会話を音声として認識するための手段である。
用語判断手段１５は，音声認識手段が認識した音声に含まれる用語である音声認識用語が，関連語，及びＮＧワードのいずれに該当するか判断するための手段である。
キーワード出力手段１７は，音声認識用語が関連語の場合には，関連語と関連したキーワードを出力し，音声認識用語がＮＧワードの場合には，ＮＧワードと関連したキーワードとアラートを出力するための手段である。
【０００９】
このプレゼンテーション支援装置のある態様は，音声認識手段１１が認識したプレゼンテーション資料に関連する用語を用いて，キーワード記憶手段５が記憶するプレゼンテーション資料に関連した複数のキーワードを作成又は更新するキーワード作成・更新手段１９をさらに含む。
【００１０】
このプレゼンテーション支援装置のある態様は，評価点記憶手段２１と，会話評価手段２３とをさらに含む。
評価点記憶手段２１は，キーワード，関連語，及びＮＧワードのいずれか１つ又は２つ以上に関連した評価点を記憶するための要素である。
会話評価手段２３は，用語判断手段１５が判断した，キーワード，関連語，及びＮＧワードについて，評価点記憶手段２１が記憶した評価点を読み出して，音声認識手段が音声として認識した会話を評価するための手段である。
【００１１】
この明細書に記載されるある態様は，プログラムに関する。このプログラムは，コンピュータを，プレゼンテーション資料記憶手段３，キーワード記憶手段５，関連語記憶手段７，ＮＧワード記憶手段９，音声認識手段１１，用語判断手段１５，及びキーワード出力手段１７として機能させるためのプログラムである。
【００１２】
この明細書に記載されるある態様は，上記したプログラムを格納したコンピュータ読み取り可能な情報記録媒体に関する。
【発明の効果】
【００１３】
この明細書に記載されたある態様の発明は，プレゼンテーション資料に関連したキーワードを表示するとともに，発言禁止用語を発言した場合にはアラートを表示して，注意を喚起できる。
【図面の簡単な説明】
【００１４】
【図１】図１は，プレゼンテーション支援装置の構成例を示す概念図である。
【図２】図２は，コンピュータの基本構成を示すブロック図である。
【図３】図３は，本発明のシステム例を示す概念図である。
【図４】図４は，プレゼンテーション支援方法の例を説明するためのフローチャートである。
【図５】図５は，プレゼンテーション資料に関連語に関連したキーワードが表示された例を示す概念図である。
【図６】図６は，ＮＧワードに関するキーワードとアラートが出力された例を示す概念図である。
【図７】図７は，プレゼンテーション資料に対応したＮＧワードを設定することができる例を示す概念図である。
【発明を実施するための形態】
【００１５】
以下，図面を用いて本発明を実施するための形態について説明する。本発明は，以下に説明する形態に限定されるものではなく，以下の形態から当業者が自明な範囲で適宜修正したものも含む。
【００１６】
この明細書に記載される態様のひとつは，プレゼンテーション支援装置１に関する。プレゼンテーション支援装置は，コンピュータにより実装される装置であり，コンピュータに記憶されるあるプレゼンテーション資料を用いて話者がプレゼンテーションを行う際に，話者用の表示装置に，キーワードを表示させて適切な説明を促したり，適切な後続のプレゼンテーション資料を読み出す他，話者が発言禁止用語といったＮＧワードを発言した場合には，話者用の表示装置にアラートを出力させ，話者に対し注意を喚起するものである。このシステムは，プレゼンテーターの携帯端末（携帯電話などのコンピュータ端末）により実装されてもよいし，コンピュータやサーバにより実装されてもよい。
【００１７】
図１は，プレゼンテーション支援装置の構成例を示す概念図である。この装置１は，プレゼンテーション資料記憶手段３と，キーワード記憶手段５と，関連語記憶手段７と，ＮＧワード記憶手段９と，音声認識手段１１と，用語判断手段１５と，キーワード出力手段１７と，を有する。この装置は，例えば，コンピュータにより実装される。各手段は，例えば，コンピュータにより実装される手段である。
【００１８】
図２は，コンピュータの基本構成を示すブロック図である。この図に示されるように，コンピュータは，入力部３１，出力部３３，制御部３５，演算部３７及び記憶部３９を有しており，各要素は，バス４１などによって接続され，情報の授受を行うことができるようにされている。例えば，記憶部には，制御プログラムが記憶されていてもよいし，各種情報が記憶されていてもよい。入力部から所定の情報が入力された場合，制御部は，記憶部に記憶される制御プログラムを読み出す。そして，制御部は，適宜記憶部に記憶された情報を読み出し，演算部へ伝える。また，制御部は，適宜入力された情報を演算部へ伝える。演算部は，受け取った各種情報を用いて演算処理を行い，記憶部に記憶する。制御部は，記憶部に記憶された演算結果を読み出して，出力部から出力する。このようにして，各種処理が実行される。以下説明する各要素は，コンピュータのいずれかの要素に対応していてもよい。
【００１９】
図３は，本発明のシステム例を示す概念図である。図３に示されるように，本発明のシステム（本発明の装置を含むシステム）は，インターネット又はイントラネット４３と接続された携帯端末４５と，インターネット又はイントラネット４３に接続されたサーバ４７とを含むものであってもよい。もちろん，単体のコンピュータや携帯端末が，本発明の装置として機能してもよいし，複数のサーバが存在してもよい。
【００２０】
プレゼンテーション資料記憶手段３は，プレゼンテーション資料を記憶するための要素である。例えば，コンピュータの記憶部が，プレゼンテーション資料記憶手段として機能する。プレゼンテーション資料の例は，パワーポイント（登録商標）の各頁である。プレゼンテーション資料は，コンピュータに格納され，表示部に表示されて会話相手や聴衆にプレゼンテーションを行うことができるようにされる資料である。
【００２１】
キーワード記憶手段５は，プレゼンテーション資料に関連した複数のキーワードを記憶するための要素である。例えば，コンピュータの記憶部が，キーワード記憶手段として機能する。プレゼンテーション資料に関連した複数のキーワードの例は，パワーポイントの各頁に基づいて説明を行う際に，用いることが好ましい用語である。記憶部は，パワーポイントなどのプレゼンテーション資料の各頁と関連して，複数のキーワードを格納する。
【００２２】
関連語記憶手段７は，キーワード記憶手段が記憶した複数のキーワードのそれぞれについて１又は複数の関連語を記憶するための手段である。例えば，コンピュータの記憶部が，関連語記憶手段として機能する。関連語は，説明の際に用いることが好ましい用語であるキーワードが話される場合に，そのキーワードと関連して用いられる用語である。
【００２３】
ＮＧワード記憶手段９は，キーワード記憶手段が記憶した複数のキーワードのそれぞれについて１又は複数のＮＧワードを記憶するための手段である。例えば，コンピュータの記憶部が，ＮＧワード記憶手段として機能する。ＮＧ（ノーグッド）ワードは，発言禁止用語など，キーワードに関連して，例えば，話者が説明に用いてはいけない用語や，用いてしまった場合に修正した方がよい用語である。ＮＧワードの例は，例えば，「えー」，「えーと」，といった間を伸ばす用語であったり，「効きません」，「絶対」，「１００％」，「保証します」といった断言用語，「馬鹿」，「できない」といった罵声語，「片手落ち」，「盲目」といった差別用語である。
【００２４】
音声認識手段１１は，会話者の会話を音声として認識するための手段である。マイクなどの収音装置から音声情報がコンピュータの入力部を経由してコンピュータに入力される。入力された音声情報は，例えば，記憶部に一時的に記憶される音声認識手段１１は，例えば，記憶部に記憶された音声情報を解析して，会話者の会話を音声として認識するための要素である。音声認識技術は公知である。したがって，公知のプログラムを用いて音声認識手段１１を実装できる。音声認識手段１１が認識した音声情報は，例えば，音声認識用語として記憶部に記憶される。
【００２５】
用語判断手段１５は，音声認識手段が認識した音声に含まれる用語である音声認識用語が，関連語，及びＮＧワードのいずれに該当するか判断するための手段である。用語判断手段１５は，キーワードであるか否かについても判断してもよい。用語判断手段１５は，記憶部に記憶された音声認識用語を読み出す。この音声認識用語は，単語ごとであってもよいし，文節ごとであってもよい。そして，用語判断手段１５は，読み出した音声認識用語が，記憶部に記憶される関連語又はＮＧワード（さらに又はキーワード）と一致するか検索し，一致する関連語やＮＧワード（さらにキーワード）があれば，その音声認識用語とともに関連語やＮＧワード（さらにキーワード）を記憶部に記憶する。このようにして音声認識用語が，関連語，及びＮＧワードのいずれに該当するか判断される。
【００２６】
キーワード出力手段１７は，音声認識用語が関連語の場合には，関連語と関連したキーワードを出力し，音声認識用語がＮＧワードの場合には，ＮＧワードと関連したキーワードとアラートを出力するための手段である。アラートの例は，プレゼンテーターに聞こえる警告音であってもよいし，表示部にプレゼンテーターの注意を喚起する用語（例えば，「使用禁止語が使用されました。注意してください。」といった用語）を表示するものであってもよい。また，アラートは，表示部にプレゼンテーターの注意を喚起する図柄（例えば，「！」「×」といった図柄）を表示するものであってもよい。ＮＧワードと関連したキーワードの例は，ＮＧワードを修正又は訂正する際に用いられる用語であってもよい。そのようなキーワードを表示することで，プレゼンテーターに効果的な修正を促すことができることとなる。
【００２７】
音声認識用語が関連語である場合，キーワード出力手段１７は，関連語記憶手段７から関連語と関連したキーワードを読み出し，表示部へ出力して，表示部にそのキーワードを表示させる。なお，プレゼンテーション資料に関連して,プレゼンテーション関連キーワードを記憶部に記憶させておいてもよい。そして, あるプレゼンテーション資料を表示部に表示させている際の会話に含まれた関連語と関連したキーワードが，プレゼンテーション関連キーワードである場合に，キーワードとして採用するようにしてもよい。このようにすることで，プレゼンテーション資料と関連したキーワードを適切に抽出できる。すると，プレゼンテーションと関連して，説明者が用いるべきキーワードを，説明者用の表示部（例えば，携帯端末の表示部や，説明者用のパーソナルコンピュータの表示画面）に表示できる。さらに，そのキーワードと関連した他のプレゼンテーション資料を次のプレゼンテーション資料の候補として抽出することができる。
【００２８】
音声認識用語がＮＧワードである場合，キーワード出力手段１７は，関連語記憶手段７からＮＧワード記憶手段９と関連したキーワードを読み出し，表示部へ出力して，表示部にそのキーワードを表示させる。なお，プレゼンテーション資料に関連して，プレゼンテーション関連キーワードを記憶部に記憶させておいてもよい。そして, ＮＧワードと関連したキーワードが，プレゼンテーション関連キーワードである場合に，キーワードとして採用するようにしてもよい。このようにすることで，プレゼンテーション資料と関連したキーワードを適切に抽出できる。また，プレゼンテーション資料と関連したＮＧワードであるプレゼンテーション関連ＮＧワードを記憶部に記憶しておいてもよい。そして，あるプレゼンテーション資料を表示部に表示させている際の会話に含まれたＮＧワードが，プレゼンテーション関連ＮＧワードである場合に，ＮＧワードとして採用するようにしてもよい。
【００２９】
すると，プレゼンテーションと関連して，説明者が用いるべきキーワードを，説明者用の表示部（例えば，携帯端末の表示部や，説明者用のパーソナルコンピュータの表示画面）に表示できる。さらに，そのキーワードと関連した他のプレゼンテーション資料を次のプレゼンテーション資料の候補として抽出することができる。
【００３０】
このプレゼンテーション支援装置のある態様は，音声認識手段１１が認識したプレゼンテーション資料に関連する用語を用いて，キーワード記憶手段５が記憶するプレゼンテーション資料に関連した複数のキーワードを作成又は更新するキーワード作成・更新手段１９をさらに含む。あるプレゼンテーション資料を表示部に表示させている際の会話に含まれた用語の頻度が高い場合，その用語は,そのプレゼンテーション資料を用いて説明する際に頻繁に用いられる用語といえる。その場合，そのプレゼンテーション資料を表示部に表示させている際に用いられた用語を関連語として，新たなキーワードが認識され，キーワード記憶手段に記憶されるようにしてもよい。この頻度は，例えば，記憶部に所定の回数や，全用語に対する使用頻度の閾値を記憶させておく。そして，コンピュータが，ある用語がその閾値を超えたと判断した場合，その用語を，プレゼンテーション資料に関するキーワードとして新たに加えるようにすればよい。また，閾値を記憶部に記憶させておき，複数のプレゼンテーションを行ったにもかかわらず，そのキーワードが用いられなかった場合，そのプレゼンテーション資料に関するキーワードから削除されてもよい。このようにすることで，自動的にキーワード記憶手段を更新できる。また，時代とともに，必要な説明や必要な用語が変化した場合であっても，手動にてキーワード記憶手段が記憶するキーワードを更新する必要なく，自動的にキーワード情報を更新できることとなる。さらに，あるプレゼンテーション資料に関するキーワードが更新されれば，関連語やＮＧワードも自動的に更新されるので，プレゼンテーション資料ごとに関連語やＮＧワードを変更する必要がなくなる。
【００３１】
なお，この装置の好ましいある態様は，それぞれのプレゼンテーション資料に関するキーワードを表示する表示画面を出力でき，そして，ユーザがそのキーワードがＮＧワードであると判断した場合は，そのプレゼンテーション資料に関するＮＧワードであるように，記憶部に記憶させることができるものである。この場合，プレゼンテーション資料と関連して，そのＮＧワードが別途読み出され，音声認識用語がＮＧワードであるか否か判断されることとなる。
【００３２】
また，予めキーワードを記憶させておかなくても，優れたプレゼンテーターがあるプレゼンテーション資料に基づいて行った説明を１又は複数記憶しておいて，用語解析をすることで，自動的にそのプレゼンテーション資料に関連する１又は複数のキーワードを抽出し，記憶させることができることとなる。このキーワードの抽出には，頻度や確率に関する情報を用いた統計処理を行ってもよいし，機械学習によりキーワードの精度を向上させてもよい。さらに，ＮＧワードが含まれなかった会話（プレゼンテーション）のみからキーワードを抽出するようにしてもよい。
【００３３】
このプレゼンテーション支援装置のある態様は，評価点記憶手段２１と，会話評価手段２３とをさらに含む。
評価点記憶手段２１は，キーワード，関連語，及びＮＧワードのいずれか１つ又は２つ以上に関連した評価点を記憶するための要素である。例えば，記憶部が評価点記憶手段２１として機能する。
会話評価手段２３は，用語判断手段１５が判断した，キーワード，関連語，及びＮＧワードについて，評価点記憶手段２１が記憶した評価点を読み出して，音声認識手段が音声として認識した会話を評価するための手段である。音声認識手段１１が認識した音声情報は，例えば，音声認識用語として記憶部に記憶される。そして，用語判断手段１５は，読み出した音声認識用語が，記憶部に記憶される関連語又はＮＧワード（さらに又はキーワード）と一致するか検索し，一致する関連語やＮＧワード（さらにキーワード）があれば，その音声認識用語とともに関連語やＮＧワード（さらにキーワード）を記憶部に記憶する。会話評価手段２３は，記憶部からキーワード，関連語，及びＮＧワードを読み出すとともに，記憶部から読み出したキーワード，関連語，及びＮＧワードに関連した評価点を読み出す。そして，例えば，ある会話やあるプレゼンテーション資料に関連した説明に含まれるキーワード，関連語，及びＮＧワードと関連した評価点を読み出し，演算部に合算させる。そのようにして，あるプレゼンテーション資料に関連した会話を評価することができる。なお，プレゼンテーションの場合は会話が一方的なものとなることがある。その場合，説明者のプレゼンテーション能力を評価できることとなる。
【００３４】
この明細書に記載されるある態様は，プログラムに関する。このプログラムは，コンピュータを，プレゼンテーション資料記憶手段３，キーワード記憶手段５，関連語記憶手段７，ＮＧワード記憶手段９，音声認識手段１１，用語判断手段１５，及びキーワード出力手段１７として機能させるためのプログラムである。このプログラムは，上記した各態様のシステムを実装するためのプログラムとなりうる。このプログラムは，携帯端末にインストールされるアプリケーションの態様を採っていてもよい。
【００３５】
この明細書に記載されるある態様は，上記したプログラムを格納したコンピュータ読み取り可能な情報記録媒体に関する。情報記録媒体の例は，ＣＤ−ＲＯＭ，ＤＶＤ，フロッピーディスク，メモリーカード及びメモリースティックである。
【００３６】
図４は，プレゼンテーション支援方法の例を説明するためのフローチャートである。
プレゼンテーション資料，プレゼンテーション資料に関連した複数のキーワード，複数のキーワードのそれぞれについて１又は複数の関連語，及び複数のキーワードのそれぞれについて１又は複数のＮＧワードがあらかじめコンピュータに記憶されている。
【００３７】
選択工程（Ｓ１０１）
プレゼンテーターがコンピュータを用いてあるプレゼンテーション資料を選択する。すると，コンピュータは，そのプレゼンテーション資料が選択された情報を受け取る。そしてコンピュータは，記憶部から，そのプレゼンテーション資料を読み出して，表示部に表示する（Ｓ１０１）。表示部は，コンピュータの表示部であってもよいし，スクリーン等であってもよい。なお，例えば，パワーポイント（登録商標）を次のページに進めるよう入力があった場合は，その次のページに関するプレゼンテーション資料が選択されたと判断されてもよい。また，後述するとおり，プレゼンテーション資料には，関連語やそのキーワードが表示されるので，その表示された関連語やキーワードをプレゼンテーターが選択した場合，その選択された関連語に関連するプレゼンテーション資料が選択され，表示されるようにされていてもよい。
【００３８】
用語読出工程（Ｓ１０２）
コンピュータは，そのプレゼンテーション資料と関連して記憶されているキーワードを読み出す。そして，コンピュータは，読み出したキーワードと関連して記憶部に記憶されている関連語及びＮＧワードといった用語を記憶部から読み出す（Ｓ１０２）。この際，関連語及びＮＧワードを後述の処理のため一時的に記憶部に記憶しておいてもよい。なお，あるキーワードは，複数のプレゼンテーション資料と関連して記憶されていてもよい。すると，別のプレゼンテーション資料が選択された場合にも，そのキーワードを介して，同じ関連語及びＮＧワードが読み出されることとなる。
【００３９】
音声認識工程（Ｓ１０３）
プレゼンテーションが始まると，コンピュータは，マイクなどを用いて会話者の会話をコンピュータに入力し，会話（プレゼンテーション）を音声として認識する（Ｓ１０３）。認識した音声は，適宜記憶部に記憶されてもよい。また，コンピュータが認識した音声は，用語変換を行い音声認識用語として，記憶部に記憶されてもよい。
【００４０】
関連語判断工程（Ｓ１０４）    
コンピュータは，音声認識手段が認識した音声に含まれる用語である音声認識用語が，関連語であるか否か判断する。コンピュータは，プレゼンテーション資料に関連した関連語を記憶部から読み出している（適宜一時的に記憶しておいてもよい）。このため，音声認識用語が，そのプレゼンテーション資料に関連した関連語と一致しているか否かの判断を演算部に行わせればよい。
【００４１】
関連語表示工程（Ｓ１０５）
ステップ１０４において，音声認識用語が関連語であると判断された場合，コンピュータは，その関連語に関連するキーワードを記憶部から読み出し，表示部に表示する。このキーワードは，関連語そのものであってもよい。この際，会話者と聴衆がそれぞれ別の表示部を見ている場合（例えば，会話者が使用するコンピュータがあり，会話者はそのモニタを見ることができ，聴衆は，聴衆用のコンピュータ端末，表示部，又はスクリーンを見ることができる場合），会話者のみの表示部に関連語が表示されてもよい。このような処理は，関連語やキーワードを表示するようにする命令を，会話者のコンピュータにのみ出力することにより達成される。すると，会話者のみに対し，関連語やそのキーワードが表示され，プレゼンテーションのヒントになり，次のプレゼンテーション資料を選択することに貢献することとなる。
【００４２】
図５は，プレゼンテーション資料に関連語に関連したキーワードが表示された例を示す概念図である。この例では，プレゼンテーター（会話者）用の表示部に，関連語に関連したキーワードが表示されている。この例では，「インタラクティブ」及び「ソリューション」という用語が表示されている。プレゼンテーターは，この用語を用いて，これらにつて説明する他，画面上でこれらの用語をタッチする，又はポインタで指示すると，現在のプレゼンテーション資料に関連し，さらに「インタラクティブ」又は「ソリューション」に関するプレゼンテーション資料が読み出されることとなる。この新しいプレゼンテーション資料についても，上記と同様のプロセスが行われてもよい。
【００４３】
ＮＧワード判断工程（Ｓ１０６）
ステップ１０４において，音声認識用語が関連語でないと判断された場合，コンピュータは，音声認識用語が，ＮＧワードに該当する否か判断する。コンピュータは，プレゼンテーション資料に関連したＮＧワードを記憶部から読み出している（適宜一時的に記憶しておいてもよい）。このため，音声認識用語が，そのプレゼンテーション資料に関連したＮＧワードと一致しているか否かの判断を演算部に行わせればよい。
【００４４】
アラート出力（Ｓ１０７）
コンピュータは，音声認識用語が，ＮＧワードである場合（ステップ１０６において，ＹＥＳの場合）は，記憶部からＮＧワードと関連したキーワードとアラートを読み出して，出力する。アラートの例は，表示部に表示されるキーワードを赤く表示する，「ＮＧワード！」という表示を表示部にするといったように，プレゼンテーターの注意を喚起することができる出力であればよい。アラートの別の例は，プレゼンテーターのヘッドセットへ音声により出力される警告音である。ＮＧワードと関連したキーワードは，表示部に表示されればよい。
【００４５】
図６は，ＮＧワードに関するキーワードとアラートが出力された例を示す概念図である。この例では，プレゼンテーターが，ある医薬について「絶対効きます」と発言した。これは，キーワード「絶対効く」に関する関連語のひとつである。表示部には，発言された関連語「絶対効きます」に関連したキーワードである「絶対効く」が表示されている。また，その上部に修正を促す表示がなされている。図６の表示は，図５の表示に比べて，キーワードが強調され，プレゼンテーターの注意が喚起されている。また，関連語とＮＧワードは同時に判断されてもよいし，ＮＧワードか否かが先に判断され，その後に関連語か否か判断されてもよい。音声認識用語が，キーワードであるか否か判断してもよい。すると，プレゼンテーションにキーワードが用いられたか否かも判断することができることとなる。このようにして，プレゼンテーションに含まれる用語が，評価される。
【００４６】
図７は，プレゼンテーション資料に対応したＮＧワードを設定することができる例を示す概念図である。図７に示されるように，この例では，それぞれのプレゼンテーション資料に関するキーワードを表示する表示画面を出力される。そして，ユーザがそのキーワードがＮＧワードであると判断した場合は，そのプレゼンテーション資料に関するＮＧワードであることを入力する。その入力は，例えば，キーワードに関連したアイコンをクリックしたり，ラジオボタンを用いてＮＧワードフラグを立てるというものである。すると，記憶部は，そのプレゼンテーション資料と関連して，そのＮＧワードが記憶される。また，そのプレゼンテーション資料が選択された場合，そのＮＧワードが別途読み出され，音声認識用語がＮＧワードであるか否か判断されることとなる。なお，図７の例では，キーワード「ＸＸＸＸ」にＮＧワード用のフラグが立てられている。この例では，ユーザが管理画面からキーワードに関連したラジオボタンをクリックすると，そのキーワードが選択された旨の情報がコンピュータに入力され，そのキーワードがＮＧワードに設定され，記憶部に記憶される。  
【産業上の利用可能性】
【００４７】
この発明は，プレゼンテーション支援装置に関するので，情報関連産業において利用されうる。
【符号の説明】
【００４８】
１  プレゼンテーション支援装置
３  プレゼンテーション資料記憶手段
５  キーワード記憶手段
７  関連語記憶手段
９  ＮＧワード記憶手段
１１  音声認識手段
１５  用語判断手段
１７  キーワード出力手段
【図１】
2020119112.tif 000003
【図２】
2020119112.tif 000004
【図３】
2020119112.tif 000005
【図４】
2020119112.tif 000006
【図５】
2020119112.tif 000007
【図６】
2020119112.tif 000008
【図７】
2020119112.tif 000009
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
プレゼンテーション支援装置（１）であって，
プレゼンテーション資料を記憶するプレゼンテーション資料記憶手段（３）と，
前記プレゼンテーション資料に関連した複数のキーワードを記憶するキーワード記憶手段（５）と，
前記キーワード記憶手段が記憶した前記複数のキーワードのそれぞれについて１又は複数の関連語を記憶する関連語記憶手段（７）と，
前記キーワード記憶手段が記憶した前記複数のキーワードのそれぞれについて１又は複数のＮＧワードを記憶するＮＧワード記憶手段（９）と，
会話者の会話を音声として認識する音声認識手段（１１）と，
前記音声認識手段が認識した音声に含まれる用語である音声認識用語が，前記関連語，及び前記ＮＧワードのいずれに該当するか判断する用語判断手段（１５）と，
前記音声認識用語が関連語の場合には，前記関連語と関連したキーワードを出力し，前記音声認識用語が前記ＮＧワードの場合には，前記ＮＧワードと関連したキーワードとアラートを出力するキーワード出力手段（１７）と，
を有し，前記キーワードは前記プレゼンテーション資料の説明者が用いることが好ましい用語である，プレゼンテーション支援装置。
【請求項２】
請求項１に記載のプレゼンテーション支援装置であって，
前記音声認識用語を用いて，前記キーワード記憶手段（５）が記憶する前記プレゼンテーション資料に関連した複数のキーワードを作成又は更新するキーワード作成・更新手段（１９）をさらに含むプレゼンテーション支援装置。
【請求項３】
請求項１に記載のプレゼンテーション支援装置であって，
前記キーワード，前記関連語，及び前記ＮＧワードのいずれか１つ又は２つ以上に関連した評価点を記憶する評価点記憶手段（２１）と，
前記用語判断手段（１５）が判断した，前記キーワード，前記関連語，及び前記ＮＧワードについて，前記評価点記憶手段（２１）が記憶した評価点を読み出して，読み出した前記評価点を合算し，合算した評価点を得る会話評価手段（２３）とをさらに含む，
プレゼンテーション支援装置。
【請求項４】
コンピュータを， 
プレゼンテーション資料を記憶するプレゼンテーション資料記憶手段（３）と，
前記プレゼンテーション資料に関連した複数のキーワードを記憶するキーワード記憶手段（５）と，
前記キーワード記憶手段が記憶した前記複数のキーワードのそれぞれについて１又は複数の関連語を記憶する関連語記憶手段（７）と，
前記キーワード記憶手段が記憶した前記複数のキーワードのそれぞれについて１又は複数のＮＧワードを記憶するＮＧワード記憶手段（９）と，
会話者の会話を音声として認識する音声認識手段（１１）と，
前記音声認識手段が認識した音声に含まれる用語である音声認識用語が，前記関連語，及び前記ＮＧワードのいずれに該当するか判断する用語判断手段（１５）と，
前記音声認識用語が関連語の場合には，前記関連語と関連したキーワードを出力し，前記音声認識用語が前記ＮＧワードの場合には，前記ＮＧワードと関連したキーワードとアラートを出力するキーワード出力手段（１７）と，
して機能させるためのプログラムであって，前記キーワードは前記プレゼンテーション資料の説明者が用いることが好ましい用語である，プログラム。。
【請求項５】
請求項４に記載のプログラムを格納したコンピュータ読み取り可能な情報記録媒体。